(57)【特許請求の範囲】
【請求項１】
圧縮ゾーン（１４）と、少なくとも２つの膨張ゾーン（１８、５２）と、少なくとも３つの燃焼室（２０、４６、６２）とを備えるガスタービンによるコジェネレーション方法において、
（ａ）前記圧縮ゾーン（１４）内で、酸素を含む支燃剤を圧縮する工程と、
（ｂ）第１の前記燃焼室（２０）内で、圧縮された前記支燃剤と燃料との混合物を加圧燃焼する工程と、
（ｃ）前記第１の燃焼室（２０）内での加圧燃焼により得られた高温ガスの一部と燃料との混合物を第２の燃焼室（６２）内で燃焼する第１の後燃焼工程と、
（ｄ）前記第１の後燃焼工程により得られた高温ガスを利用して外部設備（３４、７０）において熱交換を実現する工程と、
（ｅ）前記外部設備（３４、７０）における熱交換の結果生じた高温ガスと燃料との混合物を第３の燃焼室（４６）内で燃焼する第２の後燃焼工程と、を有し、
前記第２の後燃焼工程では、前記外部設備（３４、７０）に導入される高温ガスに近い温度および圧力条件の高温ガスであって、前記膨張ゾーン（５２）に送られる高温ガスを得ることを特徴とする、ガスタービンによるコジェネレーション方法。
【請求項２】
前記外部設備（３４、７０）に導入される高温ガスの温度に近い温度の高温ガスを前記膨張ゾーン（５２）の入口において得るように調節された量の燃料を投入することにより、前記第２の後燃焼工程を実施することを特徴とする、請求項１に記載のガスタービンによるコジェネレーション方法。
【請求項３】
前記外部設備（３４、７０）に導入される高温ガスの温度に近い温度の高温ガスを前記膨張ゾーン（５２）の入口において得るように調節された量の高温ガスを投入することにより、前記第２の後燃焼工程を実施することを特徴とする、請求項１または２に記載のガスタービンによるコジェネレーション方法。
【請求項４】
前記外部設備（３４）での熱交換により、蒸気の生成作業が実施されることを特徴とする、請求項１から３のいずれか１項に記載のガスタービンによるコジェネレーション方法。
【請求項５】
前記外部設備（７０）での熱交換により、原料の改質作業が実施されることを特徴とする、請求項１から３のいずれか１項に記載のガスタービンによるコジェネレーション方法。
【発明の詳細な説明】
【技術分野】
【０００１】
本発明は、仕事と熱とのコジェネレーション方法およびコジェネレーション装置に関する。より詳細には、タービン、特にガスタービンを使用して実現されるコジェネレーション方法に関する。より正確には、この方法は、たとえば吸熱反応を実行するために産業設備で熱を交換するガスタービンで生じた高温燃焼ガスを使用することにある。
【背景技術】
【０００２】
従来のコジェネレーション方法では、高熱のガスが通過するとともに水のような流体が通過する交換器の中で行われる熱交換により加圧蒸気等を発生させるため、タービンから出される一般に大気圧に近い圧力の高温燃焼ガスが使用されている。これらのシステムは、蒸留塔のリボイラーの加熱など様々な産業設備に用いることが可能な蒸気分配システムに利用することができる。
【発明の開示】
【発明が解決しようとする課題】
【０００３】
そのような方法での欠点は、高温ガスの温度が、たとえば５００℃を超えるような比較的高い温度で作動する産業設備を加熱するのに不十分なことである。
【０００４】
一方、ガスタービンからのガスは大気圧に近い圧力で排出され、また、負荷の損失が比較的少ないとしてもガスタービンの性能が大幅に阻害されるので、ガスタービンの出口側での負荷の損失は極めて小さいことが求められ、このため、ガスタービンから出る高温ガスを直接使用することは困難である。
【０００５】
また、たとえば出願人のフランス特許出願第２８２５９９５号またはフランス特許出願第２６７５４９８号においてよりよく記述されているように、ガス状原料の改質を実現するために、高温燃焼ガスを使用することも提案されていたが、熱交換後、高温ガスがタービンに送られると、ガスが熱を放出して著しく冷却されることが欠点である。このような状況下ではタービンによって発生する機械的出力はきわめて低い。さらに、タービンの初期寸法および膨張タービンにあるフィンの初期寸法は、ここに送られてくる加圧高温ガスの新規な導入条件に適合していない。
【０００６】
したがって本発明は、ガスタービンで出力をほぼ一定に保つことができ、かつ、膨張タービンの入口において、熱交換がない場合の初期導入温度にきわめて近い高温燃焼ガスの温度を得ることができる方法および装置により、上述の欠点を解消することを目的とする。
【課題を解決するための手段】
【０００７】
したがって本発明は、１つの圧縮ゾーンと、少なくとも１つの膨張ゾーンと、１つの燃焼室とを備える、タービン、特にガスタービンによるコジェネレーション方法において、
（ａ）前記圧縮ゾーン内で、酸素を含む支燃剤を圧縮する工程と、
（ｂ）前記燃焼室内で、圧縮された前記支燃剤と燃料との混合物を加圧燃焼する工程と、
（ｃ）外部設備を用いた交換を実現するために、前記加圧燃焼により得られた高温ガスの少なくとも一部分を使用する工程と、を含み、
（ｄ）交換の結果生じた前記高温ガスと燃料との混合物を後燃焼する少なくとも１つの工程を実施し、前記工程（ｃ）がない時に実現される条件に近い温度および圧力条件で、前記膨張ゾーンに送られる高温ガスを得ることを特徴とする方法に関する。
【０００８】
また、交換を実施する前に、燃焼の結果生じた高温ガスと燃料との混合物を後燃焼する工程が実施されてもよい。
【０００９】
後燃焼工程は、膨張ゾーンの入口において、交換がない場合の初期導入温度にきわめて近い温度の高温ガスを得るように量が調節された燃料を投入することにより実施されるものであってもよい。
【００１０】
また、交換がない場合の初期導入温度にきわめて近い温度の高温ガスを膨張ゾーンの入口において得るように量が調節された高温ガスを投入することにより、上記後燃焼工程を実施することもできる。
【００１１】
外部設備での交換により、蒸気の生成作業または原料の改質作業が実施されてもよい。
【００１２】
本発明は、１つの圧縮ゾーンと、少なくとも１つの膨張ゾーンと、１つの燃焼室と、燃焼によって生じた高温ガスと加熱すべき流体との間の交換手段を備え、交換手段から出された高温ガスが供給される少なくとも１つの後燃焼室を備えることを特徴とする、タービン、特にガスタービンによるコジェネレーション装置にも関する。
【００１３】
本装置は、高温ガスを交換手段に供給する後燃焼室を備えていてもよい。
【００１４】
本装置は、燃焼室の出口および／または後燃焼室の出口における高温ガスの温度を調節することが可能な短絡管路を備えていてもよい。
【００１５】
本装置は、燃焼室を交換手段に直接接続する高温ガス管路を備えていてもよい。
【００１６】
交換手段は、熱交換器および／または反応器を備える。
【００１７】
本装置は、第１の膨張ゾーンと第２の膨張ゾーンを備え、第１のゾーンを第２のゾーンに接続する高熱ガス管路を備えていてもよい。
【発明を実施するための最良の形態】
【００１８】
以下、本発明の実施の形態について図面を参照して説明する。
【００１９】
図１の例は、ダブルシャフトタービンと呼ばれる特別なタイプのガスタービンを有する装置を示す。
【００２０】
この構成においてガスタービンは、第１の膨張工程で燃焼空気を圧縮することができる膨張−圧縮セル１０と、機械的出力および／または電気的出力を発生することができる第２の膨張工程を有する膨張セル１２とを備える。
【００２１】
膨張−圧縮セル１０は、膨張タービン１８備えた第１の膨張ゾーンにシャフト１６で連結されたコンプレッサ１４と、燃焼室２０とを備える。一般に酸素を含む外気からの流体は、管路２２を経てコンプレッサ１４に導入され、圧縮された状態で、コンプレッサから管路２４を経て出力される。燃焼室２０には管路２６から天然ガスなどの燃料が供給されるとともに、ここへは、管路２４を通って流通される、全体または一部が圧縮空気である支燃剤が供給される。燃焼室２０内において燃料と圧縮空気との混合物が燃焼することで発生する高温ガスは、管路２８により膨張タービン１８内に送られ、そこで膨張し、管路３０から排気される。図１の例では、コンプレッサから出される圧縮空気の一部が管路２４を経て燃焼室２０内に送られ、残りの部分は、以下の記述において動作を説明する短絡管路３２を通って高温ガス管路２８側に直接送られる。
【００２２】
本装置は、チューブ式およびグリル式の熱交換器のような交換手段、特に熱交換手段３４も備えており、導入管路３６から入る加熱すべき流体は、この交換手段内を通過し出力管路３８を経てこの交換器から出る。この交換器は管路３０を経由する高温燃焼ガスの導入口４０を含む。これらの高温ガスは交換器３４を横断し、流体にその熱量を伝達して加熱する。いったん熱交換が行われると、高温ガスは排気口４２から交換器の外に出るが、この排気口は管路４４により後燃焼室４６に接続され、後燃焼室には管路４８から燃料が供給され、この燃料は燃焼室２０に供給される燃料と同じものであってもよい。燃焼室２０から出る高温ガスの循環方向を考慮すると、後燃焼室４６は交換手段３４の下流側に位置するので、以下の記述ではこの後燃焼室を下流側後燃焼室と呼ぶことにする。管路４４の高温燃焼ガスと、燃料との混合物が後燃焼されることによって生じる高温ガスは、管路５０を通って、膨張セル１２に含まれる膨張タービン５２を有する第２の膨張ゾーン内に送られ、膨張した後、管路５４からゾーンの外に出る。このタービンは、たとえばオルタネータ５８などの機械的出力および／または電気的出力を発生する任意の手段にシャフト５６により連結されている。図１に示すように、交換器３４から出た高温ガスの一部は、管路４４により後燃焼室４６内に送られ、ガスの残りの部分は、以下の記述において動作を説明する短絡管路６０によって高温後燃焼ガスの排気管路５０側に直接送られる。
【００２３】
上で記述した設備の動作は以下の通りである。
【００２４】
管路２２から導入された空気がコンプレッサ１４内で圧縮され、圧縮された状態で管路２４からコンプレッサの外に出る。この圧縮空気の一部は燃焼室２０に送られ、そこで、管路２６を経て到達する燃料と混合される。この室内での燃焼により高温燃焼ガスが発生し、高温燃焼ガスは、この燃焼室２０の出口で、コンプレッサから出て燃焼室には送られずに短絡管路３２を経由して到達した圧縮空気と混合される。それにより、燃焼の結果生じる高温ガスの温度を、たとえば１０００℃から１３００℃といった、第１の膨張タービン１８の入口において求められる温度と適合するレベルに調節することが可能となる。
【００２５】
管路３０を経由してタービン１８の外に出る６５０℃程度の高温ガスは交換器３４に送られ、そこで、管路３６から交換器内に入りたとえば水蒸気など所望する形態で交換器から管路３８を経て外に出る、水などの外部流体に熱を与えることにより、冷却される。これらの高温ガスは、たとえば４バール程度の圧力で加圧されている。
【００２６】
このような条件では、大気圧に近い圧力までの最終的な膨張で使用高温ガスが生じる時に必要な体積と比較してはるかに小さな体積の容器内で、熱交換が、通常、実現可能となる。実際、通過速度が同じ場合、高温ガスが占める断面積は、圧力にほぼ反比例する。許容可能な負荷損失が大きくなると、通過速度を増加させることが可能となり、それにより、通路断面積をさらに小さくして熱伝達係数を増加させることが可能となる。
【００２７】
交換器３４の出口では、高温ガスは、入口における温度よりも著しく低い温度になっており、入口４０との温度差はたとえば１００℃以上である。これらの高温ガスは、次いで、下流側後燃焼室４６内に送られる。管路２２を経由してコンプレッサ１４内に入る空気の量が、管路４８を経由して到達する燃料の燃焼に必要な化学量論的な空気量よりもはるかに多いため、交換器３４から出る高温ガスの一部分を支燃剤として使用することにより、室４６内で後燃焼を実現することが可能となり、残りの部分は、短絡管６０を通過し、後燃焼の結果生じる高温ガスの混合物の温度が、第２の膨張タービン５２の入口において求められる温度と適合するレベルに調節される。この後燃焼を実現するのに使用される、管路４８を経由して到達する燃料の量も、短絡管路６０内を流れる高温ガスの量と組み合わせて調節され、その結果、第２の膨張タービン５２の入口において、たとえば１０００℃から１３００℃といった、交換器３４内で行われる交換がない場合に得られる温度に近い温度が得られる。このようにして得られた高温の後燃焼ガスは膨張タービン５２内で膨張し、交換器３４内で行われる交換がない場合に得られる出力に近い機械的出力を発生する。本実施例では、この機械的出力はオルタネータ５８を駆動するのに使われる。
【００２８】
膨張した後、高温ガスは、大気圧に近い圧力で管路５４から排気される。
【００２９】
図２は図１の実施の変形形態を示し、したがって同じ符号を含む。
【００３０】
この変形形態で、交換器３４に比較的高温の熱を供給する必要がある場合には、２つの後燃焼工程が行われてもよい。
【００３１】
より詳細には、後燃焼室４６内で行われる後燃焼工程に先立って、上記同様の後燃焼工程が実施されるようになっている。
【００３２】
この事前の工程は後燃焼室６２内で実施され、これにより、第１の膨張タービン１８から出た高温ガスが、交換器３４に入る前に加熱され得る。燃焼室２０から出る高温ガスの循環方向を考慮すると、後燃焼室が交換手段３４の上流側に位置するので、以下の記述ではこの後燃焼室を上流側後燃焼室と呼ぶことにする。
【００３３】
この後燃焼を実施するために、上流側後燃焼室に、天然ガスなどの燃料が管路６４を経由して供給されるとともに、膨張タービン１８をこの燃焼室に接続する管路３０を経由して高温ガスが供給される。後燃焼室６２を出た高温ガスは管路６６により熱交換器３４の入口４０に送られる。室２０、４６に関連して既述したように、短絡管路３２、６０の機能と同じ機能の短絡管６８が設けられている。
【００３４】
したがって、管路６４を経由して到達する燃料と、管路３０から膨張タービン１８の外に出る高温ガスの一部分との燃焼により、燃焼室６２内で第１の後燃焼工程が行われ、高温ガスの残りの部分は、高温ガスが交換器３４に入る前に短絡管路６８を通り、この室から出る高温ガスの温度の調節を行う。第２の後燃焼工程は後燃焼室４６内で行われ、交換器３４を出た高温ガスと、膨張タービン５２の入口で必要な温度が得られるように量が調節された、管路４８を経由して到達した燃料とが使用される。
【００３５】
図２に図示された配置例は、ガスを主成分とする原料、特に天然ガスから水素を発生させるための、たとえば蒸気改質反応など、比較的高温で発生する吸熱反応にて加熱を行うのにきわめて適している。
【００３６】
このことにより、この吸熱反応を行うために熱を供給しながら、機械的または電気的出力を発生させることが可能となる。水素とともに発生する二酸化炭素を分離し隔離することで、こうして発生した水素の少なくとも一部分を、二酸化炭素の放出を伴なわずに、燃焼および／または後燃焼を行うのに使用することが可能となる。
【００３７】
そのような吸熱反応は、メタノールなどのアルコールや石油留分といった他の原料、または、別の原料と組み合せて使用することもできる。
【００３８】
そのような適用例を、ガスを主成分とする原料から水素を発生させる、蒸気改質反応のための図３の設備の略図により図示する。この設備は、基本的に図２の要素と同じ要素を有する装置を含むので、同じ符号を有する。
【００３９】
この設備内の交換手段は反応装置−交換器型の反応装置７０であり、反応装置７０は、ガス、好ましくは天然ガスの取込み管路７２と、水蒸気のような流体７４の取込み管路７４とを含む。この２つの流体は２つの管路の交点で混合し、管路７６により反応装置の入口に送られる。得られた合成ガスは管路７８から出て、任意かつ既知の処理装置に送られる。この反応装置は、上流側後燃焼室６２から管路６６を経由して供給される高温ガスの取入口８０と、管路４４から下流側後燃焼室４６側に高温ガスを排出する口８２も含む。
【００４０】
この設備の運転中、天然ガスは管路７２を通って送られる。天然ガスは、図示しない熱交換器により予め加熱されている。水蒸気は、管路７４を通って送られ、２つの管路の交点で天然ガスと混ざり合う。管路７２から投入される天然ガスの量に対する、管路７４から投入される水の量のモル比は２〜４の間である。その結果生じた混合物は、管路７６を経由して反応装置内に入る。反応装置７０内で行われる改質吸熱反応によって、一酸化炭素ＣＯと水素Ｈ2との混合物が生じることとなる。例えば、カリウムドープシリカ−アルミナ酸カルシウム上またはマグネシウム上に付着したニッケルを、あるいは、アルミナ担体のニッケルを主材とするような触媒が存在しているため、管路内では気体混合物が生じる。反応ゾーン出口での到達温度は８５０〜９４０℃の間である。反応は、２０〜４０バールの間の圧力で行われる。たとえば４バール程度の圧力で管路６６を経由して到達しグリル内を全体として向流で流れる高温ガスにより、反応装置の加熱が維持される。また、並流加熱を実施して、管路の壁部の温度を制限することも可能である。得られた、一酸化炭素と水素との混合物は、管路７８から排出される。
【００４１】
水素の生成量を増やすために、水蒸気を使用する第２の変換工程が行われてもよい。この第２の変換工程の終了時には、たとえば溶媒を用いた洗浄など当業者にとって既知の様々な方法により、二酸化炭素を分離することができる。吸着または膜によって未変換の炭化水素を分離することにより、発生した水素を、次いで純化することが可能であり、未変換の炭化水素は天然ガスの取入口の方に再循環させることが可能である。
【００４２】
こうして発生した水素の少なくとも一部は、燃料として、オルタネータが電気を発生させるようなやり方でガスタービンに供給されてもよく、二酸化炭素の発生量が大幅に低減する。
【００４３】
支燃剤として管路２２内で空気を使用する代わりに、酸素と再生二酸化炭素との混合気を使用することもできる。燃料が、たとえば天然ガス由来の炭化水素である場合、それにより二酸化炭素の濃縮排気ガスが得られるので、二酸化炭素を容易に分離することができる。
【００４４】
上で記述した本方法は、
（ａ）タービンの圧縮ゾーン１４内で酸素を含む支燃剤を圧縮する工程と、
（ｂ）圧縮支燃剤と燃料との混合物の加圧燃焼を実施する工程と、
（ｃ）外部設備３４または７０を用いた交換を実現するために、加圧燃焼により得られた高温ガスの少なくとも一部分を使用する工程と、
（ｄ）交換の結果生じた高温ガスと燃料との混合物を後燃焼する少なくとも１つの工程を実施し、工程（ｃ）がない時に実現される条件に近い温度および圧力条件下で、タービン５２に送られる高温ガスを得る工程と、を含む。
【００４５】
このようにして本方法によれば、機械的エネルギーの発生過程において発生した加圧高温ガスを、ガスタービンの性能を保持しつつ使用することが可能となる。また、ガスタービンによって発生する出力をほぼ一定に維持することが可能となる。さらに、交換手段の入口と出口の間における負荷の損失を最小限にするために、この交換手段の出口に、昇圧器などの圧力増加手段が設けられていてもよい。
【００４６】
この方法は、図４の略図にて例として示した改質設備で用いることができる。
【００４７】
この例では、使用されるタービンは製造者Ｇｅｎｅｒａｌ Ｅｌｅｃｔｒｉｃ社の用語を使用すればＧＥ Ｆｒａｍｅ７型のガスタービンである。そのような機械は、ＩＳＯの条件のもと８０ＭＷまでの機械的出力を発生することができる。軸流コンプレッサ１４は、およそ１８バールの圧力まで圧縮された周囲空気を、管路２２からおよそ９５８ｔ／時で吸引する。管路２４内を循環するこのような圧縮空気は、管路２６を経由して到達する水素の濃度が高い燃料と、燃焼室２０内でおよそ７ｔ／時の割合で混合され、得られた混合気は、燃焼室２０内で燃焼される。燃焼室２０を出たところで、およそ１２００℃の温度の高温ガスの混合気が得られる。高温ガスは、次いで、管路２８を経由して第１の膨張タービン１８内に送られ、そこから管路３０を経由して、およそ４バールの圧力およそ７５０℃の温度でタービン外に出る。高温ガスは、次いで、管路６４を経由して到達する、水素の濃度が高い追加的な量の燃料と、後燃焼室６２内でおよそ４ｔ／時の割合で混合される。こうして、後燃焼室６２の出口で、およそ１１５０℃の温度の高温ガスの混合気が得られ、この混合気は管路６６を経由して、反応装置−交換器型の反応装置７０の加熱に使用される。交換の後、管路４４を経由して反応装置−交換器７０から出た高温ガスは、管路４８を経由して到達した、水素の濃度が高い第３の部分の燃料と、下流側後燃焼室４６内でおよそ１ｔ／時の割合で混合される。下流側後燃焼室４６を出て管路５０内を循環する高温ガスは、再びおよそ７５０℃の温度になる。高温ガスは、第２の膨張タービン５２内で膨張し、そこから、およそ１．３バールの圧力およそ５６５℃の温度で管路５４を経由してタービンの外に出る。膨張タービン内で発生する出力は５５ＭＷである。
【００４８】
水素濃度が高い燃料は、水蒸気が管路７４を経由しておよそ１７０ｔ／時の割合で到達するとき、管路７２を経由して到達するおよそ５０ｔ／時の割合の天然ガスが改質されることによって発生する。この水蒸気は、管路５４を経由して第２の膨張タービン５２から出た高温ガスの熱を回収することにより、回収ボイラー８４内で発生する。水蒸気は、管路８６を経由して到達し交換ループ８８内を再循環する脱塩水から発生する。
【００４９】
得られた合成ガスは、反応装置−交換器７０を出た後、管路７８内を循環し、当該分野の専門家によって「シフトコンバージョン」と呼ばれる第２の変換工程を経るようになっており、この工程の途中で、合成ガスは、発生するＣＯの一部を二酸化炭素に変換しつつ、追加的な量の水素を発生させるよう水蒸気と反応する。これを行うために、管路９０を経由して５６ｔ／時の流量の水が供給され、この水は反応装置９２内の「シフトコンバージョン」反応に消費される。この「シフトコンバージョン」反応は、主な改質反応を実行するのに必要な温度よりも低い温度で実行しなければならない。その温度はおよそ４００℃に維持され、水蒸気が４６ｔ／時で発生する。
【００５０】
回収ループ８８内で発生する蒸気は１６４ｔ／時となるが、そのうち１２４ｔ／時は合成ガスを生成するのに使われる。合成ガスの生成に使われない４０ｔ／時の流量は、送り出されてもよいし、凝縮サイクルで使用されてもよい。
【００５１】
管路９４を経由して反応装置９２から出る合成ガスは、次に、水素洗浄ゾーンおよび精製ゾーン（図示せず）に送られる。
【００５２】
こうして２５ｔ／時の純水素が発生し、その一部はガスタービン、および、後燃焼工程への供給用として直接使用することができる。他の一部は、装置、たとえばＰＳＡ型吸着精製装置内で、追加の精製処理を受けることが可能である。
【００５３】
図３の変形形態である図５を参照すると、燃焼室２０内での燃焼によって生じる高温ガスは、管路９６から、たとえば反応装置７０の入口８０側に直接排出され、その圧力は例えば１０〜４０バールの間であってもよい。この場合、酸素を含むガスが反応剤側に移動するリスクを避けるように、反応装置７０内で、少なくとも若干高い圧力で実現される反応を行うことが好ましいこともある。管路４４を通って反応装置７０から出た高温ガスは、その後、後燃焼室４６の方に送られる。下流側後燃焼室と第１の膨張タービン１８とを接続する管路９８を通るガスであって、タービンによって供給され得る最大出力に近い機械的出力を得るのに必要な温度の高温ガスが、第１の膨張タービン１８の入口において得られるように、管路４８によって送られる燃料の量が調節される。この膨張タービン１８から出る高温ガスは、その後、管路１００を経由して、オルタネータ５８を駆動する第２膨張タービン５２に送られる。
【００５４】
前出の図に示した構成例は、図６に略図を示すようなシングルシャフト型タービンの場合にも適用される。
【００５５】
この場合、単一のシャフト１６により、１つのタービン１０２がコンプレッサ１４とオルタネータ５８の双方に接続されている。
【００５６】
例として図５の構成を再度示すこの変形形態では、下流側燃焼室４６から出る高温ガスは、管路９８を経由して、コンプレッサ１４とオルタネータ５８とを駆動する膨張タービン１０２に送られる。
【００５７】
また、本発明の方法の原理は、交換手段内で熱交換を行うだけでなく、反応装置−交換器のような交換手段内を循環する２つの気体流の間で物質交換を行う形態にも適用可能である。
【００５８】
適用可能な第１の形態は、酸素の移動である。そのような形態では、反応装置−交換器は、酸素を選択的に透過するセラミック材の管を使用して作製されていてもよい。この場合、酸素イオンが移動するのであれば、ペロブスカイト型セラミックを使用してもよい。そのような構成は、比較的重い炭化水素原料から合成ガスを生成する場合、あるいは、たとえばＦｉｓｃｈｅｒ−Ｔｒｏｐｓｃｈ合成の反応への供給を行うために、適切な割合のＣＯを含む、ＣＯと水素との混合物を得る場合に有利となることがある。
【００５９】
適用可能な第２の形態は、水素の移動である。この場合、反応装置−交換器は、たとえばパラジウム選択層を含む管など、水素を選択的に透過するセラミック材の管を使用して作製されていてもよい。
【００６０】
それにより反応の進行が促進され、水素への変換率を増加させることができる。
【００６１】
後燃焼工程を行うために、水素が直接分離され、支燃剤に混合されてもよい。
【図面の簡単な説明】
【００６２】
【図１】本発明による装置の構成例を示す図である。
【図２】図１に示したような装置の第１の変形形態を示す図である。
【図３】図２の装置の変形形態を示す図である。
【図４】原料の改質設備内における本発明による装置の配置を示す略図である。
【図５】図１による装置の構成の別の変形形態を示す図である。
【図６】本発明による装置の構成の別の変形形態を示す図である。
【図１】
0004842801.tif 000002
【図２】
0004842801.tif 000003
【図３】
0004842801.tif 000004
【図４】
0004842801.tif 000005
【図５】
0004842801.tif 000006
【図６】
0004842801.tif 000007